(57)【要約】【目的】  本発明は電灯支持具の可搬性および収納性を向上させることを目的とする。【構成】  電灯支持具Ｓ１は、３以上の脚部１００、回動支持部２００、収容部３００および脚部１００と同数の係合部４００を備えている。脚部１００は、第１部１１０およびこれより上側、下側の第２部１２０、第３部１３０を有している。回動支持部２００は、脚部１００が開位置と閉位置との間で開閉可能となるように第１部１１０を回動可能に支持している。開位置は第２部１２０、第３部１３０が第１部１１０から放射状に延びる位置であり、閉位置は第２部１２０、第３部１３０が開位置よりも互いに近づく位置である。収容部３００は、携帯電灯を取り出し可能に収容でき且つ折り畳み可能な構成である。係合部４００は、収容部３００の外面に設けられ且つ開位置に位置した脚部１００の上端部１２１を各々着脱自在に係合する。【選択図】      図７
2018163849.tif 000002
【特許請求の範囲】
【請求項１】
第１部、前記第１部よりも上側の第２部および前記第１部よりも下側の第３部を有する３以上の脚部と、
前記脚部が開位置と閉位置との間で開閉可能となるように前記脚部の前記第１部を回動可能に支持する回動支持部と、
携帯電灯を取り出し可能に収容し得る構成であり且つ折り畳み可能な収容部と、
前記脚部と同じ数の係合部とを備えており、
前記係合部は、前記収容部の外面に設けられており且つ前記脚部の前記第２部の上端部を各々係合しており、
前記開位置は、前記脚部の前記第２部が前記第１部から放射状に延び且つ前記脚部の前記第３部が前記第１部から放射状に延びる位置であり、前記閉位置は前記脚部の前記第２部が前記開位置よりも互いに近づき且つ前記脚部の前記第３部が前記開位置よりも互いに近づく位置である電灯支持具。
【請求項２】
請求項１記載の電灯支持具において、
前記収容部は、携帯電灯が載置可能な底部と、
前記底部の外周から上方に延びており且つ折り畳み可能な可撓性を有するシェードとを有しており、
前記係合部は前記シェードの外面に設けられている電灯支持具。
【請求項３】
請求項２記載の電灯支持具において、
前記シェードは、前記脚部の数に対応する略多角環状の上縁部を有しており、前記上縁部は、前記脚部の数と同数の角部を有しており、
前記係合部は、前記シェードの前記上縁部の前記角部の外面に各々設けられており、
前記係合部が前記開位置に位置する前記脚部の前記上端部を係合した状態におけるＤ１は、前記上縁部の各一辺の両端の前記係合部の間の寸法であり、Ｄ２は、前記上縁部の各一辺の両端の前記係合部に係合された前記脚部の前記上端部間の距離であり、
Ｄ１はＤ２と略同じまたはＤ１はＤ２よりも若干大きい電灯支持具。
【請求項４】
請求項２または３記載の電灯支持具において、
前記底部は、補強プレートを有している電灯支持具。
【請求項５】
請求項４記載の電灯支持具において、
前記底部は、前記外周を有する底部本体をさらに有しており、
前記補強プレートが前記底部本体に固定されている電灯支持具。
【請求項６】
請求項４または５に記載の電灯支持具において、
前記補強プレートは可撓性を有する電灯支持具。
【請求項７】
請求項１〜６の何れかに記載の電灯支持具において、
前記係合部は、前記脚部の前記上端部が挿入可能な下向きに開放されたポケットである電灯支持具。
【請求項８】
請求項１〜６の何れかに記載の電灯支持具において、
前記係合部は、前記脚部の前記上端部の係合穴に係合可能なフックまたは紐である電灯支持具。
【請求項９】
請求項１〜６の何れかに記載の電灯支持具において、
前記係合部は、前記脚部の前記上端部に設けられた係合手段に係合可能な下向きに開放されたポケットまたは係合穴である電灯支持具。
【請求項１０】
請求項１〜９の何れかに記載の電灯支持具において、
前記収容部で携帯電灯を保持可能な保持部をさらに備えている電灯支持具。
【請求項１１】
請求項１〜１０の何れかに記載の電灯支持具と、
前記電灯支持具の前記収容部に収容される携帯電灯とを備えた電灯装置。
【発明の詳細な説明】
【技術分野】
【０００１】
本発明は、電灯支持具およびこれを備えた電灯装置に関する。
【背景技術】
【０００２】
従来の篝火を模した電灯装置が下記特許文献１に記載されている。この電灯装置は、光源が内蔵された篝籠と、この篝籠を支持する三脚とを備えている。
【先行技術文献】
【特許文献】
【０００３】
【特許文献１】実用新案登録第２５１８１２５号公報
【発明の概要】
【発明が解決しようとする課題】
【０００４】
三脚は篝籠に固定されている。また、篝籠は、光源を囲うように合成樹脂または金属で構成されているため、外形が大きく、そのため、上記電灯装置は可搬性および収納性が悪い。
【０００５】
本発明は、上記事情に鑑みて創案されたものであって、その目的とするところは、可搬性および収納性を向上させることができる電灯支持具およびこれを備えた電灯装置を提供することにある。
【課題を解決するための手段】
【０００６】
上記課題を解決するために、本発明の電灯支持具は、３以上の脚部と、回動支持部と、収容部と、脚部の数と同数の係合部とを備えている。脚部は、第１部、第１部よりも上側の第２部および第１部よりも下側の第３部を有している。回動支持部は、脚部が開位置と閉位置との間で開閉可能となるように脚部の第１部を回動可能に支持している。開位置は、脚部の第２部が第１部から放射状に延び且つ脚部の第３部が第１部から放射状に延びる位置であり、閉位置は脚部の第２部が開位置よりも互いに近づき且つ脚部の第３部が開位置よりも互いに近づく位置である。収容部は、携帯電灯を取り出し可能に収容し得る構成であって、折り畳み可能な構成である。係合部は、収容部の外面に設けられており且つ脚部の第２部の上端部を各々係合するようになっている。
【０００７】
このような態様の電灯支持具による場合、収容部を折り畳むことができるので、電灯支持具の可搬性および収納性が向上する。
【０００８】
収容部は、携帯電灯が載置可能な底部と、この底部の外周から上方に延びており且つ折り畳み可能な可撓性を有するシェードとを有する構成とすることが可能である。係合部はシェードの外面に設けられた構成とすることも可能である。このような態様の電灯支持具による場合、携帯電灯を収容部の底部に載置させているだけであるので、携帯電灯を収容部内に容易に出し入れすることができる。しかも、収容部のシェードを折り畳むことができる。
【０００９】
シェードは、脚部の数に対応した略多角環状の上縁部を有しており、この上縁部は脚部の数と同数の角部を有する構成とすることが可能である。係合部は、シェードの上縁部の角部の外面に各々設けられた構成とすることが可能である。係合部が開位置に位置する脚部の上端部を係合した状態におけるＤ１は、上縁部の各一辺の両端の係合部の間の寸法、Ｄ２は、上縁部の各一辺の両端の係合部に係合された脚部の上端部間の距離とすることが可能である。Ｄ１はＤ２と略同じまたはＤ１はＤ２よりも若干大きくすることが可能である。このような態様の電灯支持具による場合、係合部に脚部の上端部が係合された状態で、シェードの上縁部の各一辺が弛み難くなる。
【００１０】
底部は、補強プレートを有する構成とすることが可能である。このような態様の電灯支持具による場合、底部が補強プレートを有しているため、携帯電灯を収容部の底部に載置させた状態で安定する。
【００１１】
底部は、外周を有する底部本体をさらに有する構成とすることが可能である。補強プレートが底部本体に固定された構成とすることも可能である。このような態様の電灯支持具による場合、シェードと底部本体の外周との連結が簡単である。
【００１２】
補強プレートは可撓性を有する構成とすることも可能である。例えば、補強プレートは樹脂プレートや厚紙や和紙などの紙で構成することが可能である。このような態様の電灯支持具の可搬性および収納性がさらに向上する。なぜなら、補強プレートを可撓させることができるからである。
【００１３】
係合部は、脚部の上端部が挿入可能な下向きに開放されたポケットとすることが可能である。または、係合部は、脚部の上端部の係合穴に係合可能なフックまたは紐とすることが可能である。または、係合部は、脚部の上端部に設けられた係合手段に係合可能な下向きに開放されたポケットまたは係合穴とすることが可能である。脚部の係合手段としてはフックや紐などである。
【００１４】
上記電灯支持具は、上記した何れかの態様の収容部内で携帯電灯を保持可能な保持部をさらに備えた構成とすることが可能である。このような態様の電灯支持具による場合、携帯電灯が保持部に保持されるため、携帯電灯を収容部に収容させた状態で安定する。
【００１５】
上記電灯支持具は、上記した何れかの態様の収容部の上側開口を開閉可能に塞ぐ蓋をさらに備えた構成とすることが可能である。
【００１６】
蓋の内面には、収容部内の携帯電灯から照射された光を反射させる反射面が設けられていても良い。上記した何れかの態様の底部の内面には、収容部内の携帯電灯から照射された光を反射させる反射面が設けられていても良い。
【００１７】
本発明の電灯装置は、上記した何れかの態様の電灯支持具と、この電灯支持具の収容部の底部に載置される携帯電灯とを備えている。
【図面の簡単な説明】
【００１８】
【図１】本発明の実施例１に係る電灯支持具の正面図であって、前記電灯支持具の脚部を開位置に位置させた状態の図である。
【図２】前記電灯支持具の背面図であって、前記電灯支持具の脚部を開位置に位置させた状態の図である。
【図３】前記電灯支持具の平面図であって、前記電灯支持具の脚部を開位置に位置させた状態の図である。
【図４】前記電灯支持具の底面図であって、前記電灯支持具の脚部を開位置に位置させた状態の図である。
【図５】前記電灯支持具の右側面図であって、前記電灯支持具の脚部を開位置に位置させた状態の図である。
【図６】前記電灯支持具の左側面図であって、前記電灯支持具の脚部を開位置に位置させた状態の図である。
【図７】前記電灯支持具の正面、平面および右側面図から表した斜視図であって、前記電灯支持具の脚部を開位置に位置させた状態の図である。
【図８】前記電灯支持具の脚部および回動支持部の正面図であって、当該脚部を閉位置に位置させた状態の図である。
【図９】前記電灯支持具の別の変更例を示す正面、平面および右側面図から表した斜視図であって、前記電灯支持具の脚部を開位置に位置させた状態の図である。
【図１０】本発明の実施例２に係る電灯支持具の正面図であって、前記電灯支持具の脚部を開位置に位置させた状態の図である。
【図１１】前記電灯支持具の平面図であって、前記電灯支持具の脚部を開位置に位置させた状態の図である。
【発明を実施するための形態】
【００１９】
以下、本発明の実施例１〜３について説明する。
【実施例１】
【００２０】
本発明の実施例１を含む種々の実施例に係る電灯支持具Ｓ１（以下、単に支持具Ｓ１とも称する。）ついて図１〜図９を参照しつつ説明する。支持具Ｓ１は、図１および図２に一点鎖線で示す携帯電灯Ｅ（例えば、懐中電灯、ヘッドライトやランタン）を支持可能である。支持具Ｓ１は、３以上の脚部１００と、回動支持部２００とを備えている。なお、図１〜図８には、実施例１に係る支持具Ｓ１が示されている。図９には、実施例１に係る支持具Ｓ１の設計変更例が示されている。図１〜図８では脚部１００は３つであり、図９では脚部１００は４つであるが、脚部１００の数はこれ以上であっても良い。図３〜図８では、携帯電灯Ｅは図示省略されている。
【００２１】
各脚部１００は、図１〜図９に示すように直線状であっても良いし、少なくとも部分的に円弧状に湾曲していても良い。また、各脚部１００は、１）複数の棒またはポールを有し、脚部１００の長手方向で隣り合う棒またはポールが着脱可能に連結された構成とすることが可能であるし、２）一つの棒またはポールで構成することも可能である。
【００２２】
脚部１００は、第１部１１０、第２部１２０と、第３部１３０とを有している。第１部１１０は脚部１００の中間に位置する任意の部分である。第２部１２０は脚部１００の第１部１１０よりも上側の部分であり、第３部１３０は脚部１００の第１部１１０よりも下側の部分である。第２部１２０は上端部１２１を有し、第３部１３０は下端部１３１を有する。下端部１３１は地面または屋内の床面などの設置面上に設置される部分である。下端部１３１の形状は、脚部１００を構成する棒またはポールの下端部の形状をそのまま用いても良いし、設置面に設置し易い形状としても良い。例えば、後者の一例が図１〜図９に示されている。この一例では、下端部１３１は略Ｖ字状であって、後記する脚部１００が開位置に位置している状態で（脚部１００が斜めに傾斜している状態で）、下端部１３１の下面が設置面に面接触するように構成されている。この場合、下端部１３１の設置面に対する接触面積が増大し、脚部１００の設置面に対する設置が安定する。下端部１３１には、設置面に固定するためのペグ孔１３１ａや重りに連結された紐やベルトなどが係合される係合孔が設けられていても良いが、これに限定されるものではない。なお、第２部１２０および／または第３部１３０は折り曲げられていたり湾曲していたりしても良い。
【００２３】
回動支持部２００は、脚部１００が図１〜図７に示される開位置と図８に示される閉位置との間で開閉可能となるように脚部１００の第１部１１０を回動可能に支持している。例えば、回動支持部２００は、下記１）または２）の構成とすることが可能である。
１）回動支持部２００は、図１〜図８に示されるように樹脂製の板であって、その外周部に脚部１００の数と同数の支持孔が周方向に間隔をあけて設けられている。支持孔は、脚部１００の回動方向に延びた長孔であって、その長手方向の寸法が脚部１００の第１部１１０の外形よりも大きく且つ短手方向の寸法が脚部１００の第１部１１０の外形と略同じである。この支持孔に脚部１００が各々貫通しており、第１部１１０が支持孔の長手方向に回動可能に支持されている。
２）回動支持部２００は、脚部１００の数と同数の枝部を有しており、枝部の一端が互いに連結され、他端が第１部１１０を回動可能に支持している。
なお、開位置は、脚部１００の第２部１２０が第１部１１０から放射状に延び且つ脚部１００の第３部１３０が第１部１１０から放射状に延びる位置である。一方、閉位置は脚部１００の第２部１２０が開位置よりも互いに近づき且つ脚部１００の第３部１３０が開位置よりも互いに近づく位置である。脚部１００が直線状である場合、図８に示されるように脚部１００の第２部１２０が互いに平行に沿い且つ脚部１００の第３部１３０が互いに平行に沿っていても良いが、これに限定されるものではない。すなわち、閉位置で、第２部１２０同士が不平行であり且つ第３部１３０同士が不平行であっても良い。
【００２４】
支持具Ｓ１は収容部３００をさらに備えている。収容部３００は、携帯電灯Ｅを取り出し可能に収容し得る構成であり且つ折り畳み可能な構成である。例えば、収容部３００は、上側が開口した箱状であって、底部３１０およびシェード３２０を有している。
【００２５】
底部３１０は携帯電灯Ｅが載置可能な円形状（図３および図４参照）または多角形状である。底部３１０は、例えば、以下の１）〜３）の何れかの構成とすることが可能である。
１）底部３１０はリジットな補強プレート（例えば、金属製、木製または樹脂製のプレート）で構成されている。
２）底部３１０は折り畳み可能な可撓性を有する素材（例えば、布、和紙などの紙または樹脂シートなど）で構成されている。
３）底部３１０は、底部本体と、補強プレートとを有している。底部本体は、可撓性を有する素材（例えば、布や樹脂シートなど）で構成されている。補強プレートは上記したリジットなプレートであってもよいし、可撓性を有する厚紙や和紙などの紙または樹脂プレートなどのプレートであっても良い。補強プレートは底部本体に固定されている。例えば、底部本体が布や樹脂シートで構成された上下のシートを有する場合、当該シート間に補強プレートが挟持されている。または、補強プレートが熱圧着や接着剤などで底部本体に固定されていても良いし、補強プレートが底部本体に縫い付けられていても良い。
なお、本発明における布とは、織物、編み物（メリヤス生地）、レース、フェルト、不織布などを含む。
【００２６】
底部３１０は、少なくとも部分的に携帯電灯Ｅの光を底部３１０外に透過させる光透過性および／または携帯電灯Ｅの光を散乱させて底部３１０外に出射させる光散乱性をさらに有していても良い。この場合、底部３１０の少なくとも一部は、透明、半透明または乳白色とすることが可能である。勿論、底部３１０の全部は、透明、半透明または乳白色とすることが可能である。なお、底部３１０は、光透過性および／または光散乱性を有しない素材で構成されていても良い。
【００２７】
シェード３２０は、底部３１０の外周から上方に延びた筒であって、折り畳み可能な可撓性を有している。なお、底部３１０が上記３）の構成である場合、底部本体が底部３１０の外周を有している。シェード３２０は、上縁部３２１および下縁部３２２を有している。
【００２８】
上縁部３２１は、脚部１００の数に対応する略多角環状であると良い。この場合、上縁部３２１は、脚部１００の数と同数の一辺および角部を有している。角部は、一辺のうちの二つの突き当たりによって構成されている。例えば、図１〜図８に示されるように、脚部１００が３つである場合には、上縁部３２１は三角環状となり、３つの一辺および３つの角部を有する。図９に示されるように、脚部１００が４つである場合には、上縁部３２１は四角環状となり、４つの一辺および４つの角部を有する。なお、上縁部３２１は円環状または脚部１００の数に対応しない多角環状とすることも可能である。
【００２９】
収容部３００の上縁部３２１の係合部４００が開位置に位置する脚部１００の上端部１２１を係合した状態におけるＤ１（図３参照）は、上縁部３２１の各一辺の両端の係合部４００の間の寸法とし、Ｄ２（図４参照）は、上縁部３２１の各一辺の両端の係合部４００に係合された脚部１００の上端部１２１間の距離（開位置に位置する脚部１００の上端部１２１の距離）とすることが可能である。
収容部３００のシェード３２０の上縁部３２１が円環状または脚部１００の数と異なる多角環状である場合、Ｄ１＞Ｄ２となるので、各一辺が収容部３００の内側または外側に撓み易くなる。
一方、収容部３００のシェード３２０の上縁部３２１が脚部１００の数と同数の略多角環状である場合、Ｄ１≒Ｄ２またはＤ１はＤ２よりも若干大きくすることができるので、各一辺が撓み難くなる。
【００３０】
下縁部３２２は、底部３１０の外周の形状に対応する円環状（図３および図４参照）または多角環状であって、底部３１０の外周に接続されている。
【００３１】
シェード３２０は、少なくとも部分的に携帯電灯Ｅの光をシェード３２０外に透過させる光透過性および／または携帯電灯Ｅの光を散乱させてシェード３２０外に出射させる光散乱性をさらに有していても良い。シェード３２０は、前述の可撓性、光透過性および／または光散乱性を有する素材（例えば、布、和紙などの紙や樹脂シートなど）で構成されている。この場合、シェード３２０の少なくとも一部は、透明、半透明または乳白色とすることが可能である。勿論、シェード３２０の全部は、透明、半透明または乳白色とすることが可能である。なお、シェード３２０は、光透過性および／または光散乱性を有しない素材で構成されていても良い。この場合、底部３１０上には、携帯電灯Ｅの光が上方に照射されるように携帯電灯Ｅを載置すると良い。
【００３２】
底部３１０および／またはシェード３２０が、光透過性および／または光散乱性を有しない場合、底部３１０および／またはシェード３２０の内面が携帯電灯Ｅの光を反射する反射面となっていても良いが、これに限定されるものではない。
【００３３】
支持具Ｓ１は、上記した何れかの態様の脚部１００の数と同じ数（すなわち、３以上）の係合部４００を備えている。係合部４００は、収容部３００の外面に当該収容部３００の周方向に間隔をあけて設けられている。具体的には、係合部４００は、収容部３００のシェード３２０の外面または底部３１０の外面にその周方向に間隔をあけて設けられていると良い。収容部３００のシェード３２０の上縁部３２１が脚部１００の数に対応する多角環状である場合、係合部４００は上縁部３２１の角部の外面に各々設けられていると良い。
【００３４】
係合部４００は、開位置に位置した脚部１００の上端部１２１を各々着脱自在に係合するようになっている。例えば、係合部４００は、以下のａ）〜ｃ）の構成とすることが可能である。
ａ）係合部４００は、図１〜図９に示されるように脚部１００の上端部１２１が挿入可能な下向きに開放されたポケットである。
ｂ）係合部４００は、脚部１００の上端部１２１に設けられた係合穴に係合可能なフックまたは紐である。
ｃ）脚部１００の上端部１２１に係合手段（例えば、フックや紐など）が設けられている場合、係合部４００、脚部１００の係合手段に係合可能な下向きに開放されたポケットまたは係合穴である。
【００３５】
以下、上記した構成の電灯支持具Ｓ１の組み立て手順について詳しく説明する。まず、回動支持部２００に支持された３以上の脚部１００を用意する。脚部１００を閉位置から開位置にかけて開く。この状態で、脚部１００の下端部１３１を設置面上に設置する。これにより、脚部１００が設置面上に立つ。その後、脚部１００に対応する数の係合部４００付きの収容部３００を用意する。収容部３００を展開し、上側開口の箱状とする。そして、収容部３００の外面の係合部４００に脚部１００の上端部１２１または当該上端部１２１の係合手段を各々係合させる。これにより、収容部３００が脚部１００の上端部１２１によって中空で支持される。このように支持具Ｓ１が組み立てられる。
【００３６】
このように組み立てられた支持具Ｓ１の収容部３００の上側開口から点灯させた携帯電灯Ｅを挿入し、収容部３００の底部３１０上に載置する。収容部３００の底部３１０および／またはシェード３２０が光透過を有している場合、携帯電灯Ｅの光が底部３１０および／またはシェード３２０を通過して外部を照らす。収容部３００の底部３１０および／またはシェード３２０が光透過を有していない場合、携帯電灯Ｅの光は収容部３００の上側開口から外部を照らす。
【００３７】
以下、支持具Ｓ１を分解する手順について詳しく説明する。収容部３００の上側開口から携帯電灯Ｅを取り出す。その後、係合部４００と脚部１００の上端部１２１または当該上端部１２１の係合手段との係合を解除する。これにより、収容部３００が脚部１００の上端部１２１から取り外される。その後、収容部３００を折り畳む。収容部３００のシェード３２０のみが可撓性を有する場合、シェード３２０を折り畳むと良い。収容部３００の底部３１０およびシェード３２０が可撓性を有する場合、底部３１０およびシェード３２０を折り畳む。その後、脚部１００を開位置から閉位置にかけて閉じる。脚部１００が複数の棒またはポールで構成されている場合、脚部１００の棒またはポール間の連結を解除し、分解すると良い。このようにして支持具Ｓ１が分解される。
【００３８】
以上のような支持具Ｓ１は、以下の技術的特徴および効果を奏する。
技術的特徴および効果１）支持具Ｓ１の可搬性および収納性が向上する。上記のとおり、脚部１００から収容部３００を取外し、収容部３００を折り畳むことができるからである。脚部１００が複数の棒またはポールに分解可能である場合には、脚部１００を複数パーツに分解することができるので、支持具Ｓ１の可搬性および収納性がさらに向上する。
【００３９】
技術的特徴および効果２）収容部３００は、携帯電灯Ｅを取り出し可能に収容し得る構成であるので、収容部３００および携帯電灯Ｅに互いに取り付けるための取付手段を必要としない。このため、収容部３００内には、様々な携帯電灯Ｅを収容できる。
【００４０】
技術的特徴および効果３）収容部３００が底部３１０およびシェード３２０を有する箱状である場合、収容部３００はその上側開口から底部３１０上に携帯電灯Ｅが載置される構成であるので、携帯電灯Ｅを上側開口から収容部３００内に容易に出し入れすることができる。
【００４１】
技術的特徴および効果４）収容部３００の底部３１０が補強プレートを有している場合、携帯電灯Ｅを底部３１０上に載置した状態が安定する。
【００４２】
技術的特徴および効果５）収容部３００のシェード３２０の上縁部３２１が脚部１００の数と同数の略多角環状である場合、上記したとおり、係合部４００が上縁部３２１の各一辺が撓み難くなる。
【実施例２】
【００４３】
以下、本発明の実施例２を含む複数の実施例に係る電灯支持具Ｓ２（以下、単に支持具Ｓ２とも称する。）ついて図１０および図１１を参照しつつ説明する。支持具Ｓ２は、蓋５００および／または保持部６００をさらに備えている点で支持具Ｓ１の収容部３００と相違する以外、支持具Ｓ１と同じ構成である。よって、その相違点についてのみ詳しく説明し、支持具Ｓ２の説明のうち支持具Ｓ１の説明と重複するものについては省略する。なお、図１１および図１０には実施例２の支持具Ｓ２が示されている。図１０には、支持具Ｓ２の蓋５００および保持部６００の双方が図示されているが、図１１では、支持具Ｓ２の蓋５００が図示省略されている。図１０および図１１でも、携帯電灯Ｅが一点鎖線で示されている。
【００４４】
蓋５００は、上記した何れかの態様の収容部３００の上側開口を開閉可能に塞ぐ構成となっている。このため、携帯電灯Ｅを収容部３００内に収容および取り出す際に、蓋５００を移動させて収容部３００の上側開口を開放することができ、携帯電灯Ｅを収容部３００内に収容した後に、蓋５００が収容部３００の上側開口を塞ぐ。蓋５００は収容部３００のシェード３２０の上縁部３２１の形に対応した外形を有していると良いが、これに限定されるものではない。例えば、蓋５００の外形寸法は、収容部３００の上側開口の外形寸法よりも大きくても良い。蓋５００は、例えば、さらに以下の１）〜３）の何れかの構成とすることが可能である。
１）蓋５００はリジットなプレート（例えば、樹脂プレート）で構成されている。
２）蓋５００は折り畳み可能な可撓性を有する素材（例えば、布や樹脂シートなど）で構成されている。
３）蓋５００は、蓋本体と、補強プレートとを有している。蓋本体は、可撓性を有する素材（例えば、布や樹脂シートなど）で構成されている。補強プレートは樹脂プレートなどのリジットな板であってもよいし、折り曲げ可能な程度の可撓性を有する厚紙、和紙または樹脂プレートなどの板であっても良い。補強プレートは、蓋本体に固定されている。例えば、蓋本体が、布や樹脂シートで構成された上下のシートからなる場合、当該シート間に補強プレートが挟持されている。または、補強プレートが熱圧着や接着剤などで蓋本体に固定されていても良いし、補強プレートが蓋本体に縫い付けられていても良い。
【００４５】
蓋５００は、携帯電灯Ｅの光を蓋５００外に透過させる光透過性および／または携帯電灯Ｅの光を散乱させて蓋５００外に出射させる光散乱性をさらに有していても良い。この場合、蓋５００の少なくとも一部は、透明、半透明または乳白色とすることが可能である。勿論、蓋５００の全部は、透明、半透明または乳白色とすることが可能である。なお、蓋５００は、光透過性および／または光散乱性を有しない素材で構成されていても良い。この場合、蓋５００の内面が携帯電灯Ｅの光を反射する反射面となっていても良いが、これに限定されるものではない。
【００４６】
保持部６００は、上記した何れかの態様の収容部３００の底部３１０上に載置された携帯電灯Ｅを保持可能な構成となっている。例えば、保持部６００は、下記１）または２）の構成とすることが可能である。
１）シェード３２０の相対する部分の間および／またはシェード３２０と底部３１０との間に掛け渡された複数のベルトや紐であって、このベルトや紐間に携帯電灯Ｅが保持可能となっている。ベルトや紐の一端または両端は、シェード３２０または底部３１０に取外しできないように固定されていても良いし、シェード３２０または底部３１０に着脱自在に固定されていても良い。
２）保持部６００は、底部３１０上に設けられ、携帯電灯Ｅを保持する折り畳み可能な可撓性を有する筒体とすることも可能である。この場合、底部３１０上には、保持部６００に保持された携帯電灯Ｅが直接載置されていても良いし、携帯電灯Ｅを保持した保持部６００が載置されることによって、携帯電灯Ｅが間接的に載置されていても良い。要するに、本発明における携帯電灯の底部３１０上の載置は、直接載置および間接載置の何れも含む。
なお、保持部６００は収容部３００と共に折り畳み可能な構成または保持部６００は収容部３００から取り外して折り畳み可能な構成とすることが可能である。
【００４７】
以上のような支持具Ｓ２は、上記した技術的特徴および効果１）〜５）を奏する。ただし、技術的特徴および効果３）は、支持具Ｓ２が保持部６００を備えていない場合に限る。支持具Ｓ２が保持部６００を備えている場合、保持部６００で携帯電灯Ｅが安定的に保持される。支持具Ｓ２が蓋５００を備えている場合、収容部３００の上側開口を塞ぐことで、収容部３００内にゴミなどが入るのを防ぐことができる。
【００４８】
なお、上記した電灯支持具は、上記実施例に限定されるものではなく、特許請求の範囲の記載範囲において任意に設計変更することが可能である。以下、詳しく述べる。
【００４９】
本発明の収容部は携帯電灯を取り出し可能に収容し得る構成であり且つ折り畳み可能である限りどのような構成であっても良い。例えば、収容部は、多角形状の底部と、底部の各辺にひんじ結合されており且つ底部に対して回動可能な複数の周壁とを有する構成とすることが可能である。本発明の係合部は、収容部の外面に設けられており且つ脚部の第２部の上端部に各々係合していていれば良い。すなわち、本発明の係合部は、収容部の外面に設けられており且つ脚部の第２部の上端部に取り外し不能となっていてもよい。
【００５０】
本発明の電灯装置は、上記した何れかの態様の電灯支持具と、この電灯支持具の収容部内に収容される携帯電灯とを備えていれば良い。
【００５１】
なお、上記実施例および設計変形例における電灯支持具および電灯装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。
【符号の説明】
【００５２】
Ｓ１、Ｓ２：電灯支持具
１００：脚部
１１０：第１部
１２０：第２部
１２１：上端部
１３０：第３部
１３１：下端部
１３１ａ：ペグ孔
２００：回動支持部
３００：収容部
３１０：底部
３２０：シェード
３２１：上縁部
３２２：下縁部
４００：係合部
５００：蓋
６００：保持部
Ｅ：携帯電灯
【図１】
2018163849.tif 000003
【図２】
2018163849.tif 000004
【図３】
2018163849.tif 000005
【図４】
2018163849.tif 000006
【図５】
2018163849.tif 000007
【図６】
2018163849.tif 000008
【図７】
2018163849.tif 000009
【図８】
2018163849.tif 000010
【図９】
2018163849.tif 000011
【図１０】
2018163849.tif 000012
【図１１】
2018163849.tif 000013